(57)【要約】【課題】さつま芋等の苗を植え込む作業は中腰で作業するため疲労感が大きく作業能率が低下し腰痛になりやすい。また、出荷価格が安いことから零細農家では大型機械は導入し難い。そこで簡単な手動の機具で苗の植え込み作業の効率化をはかることを課題とする。【解決手段】中空管１の後端部に把持管２を接続して作動棒３を摺動自在に嵌合させ、作動棒３の後端部にはピン４を貫通させて把持管の外側へ突き出すとともに、作動棒３の後端部と把持管２の後端部のストッパー５とにバネ６を介在させて、ピン４に指を掛けて作動棒３を作動させるようにし、作動棒３に設けた切欠部３ａと中空管２の先端部に設けたプレート１ａで苗８を挟持できるよう構成されていることを特徴とする苗植機である。【選択図】図１
0003101949.tif 000002
【実用新案登録請求の範囲】
【請求項１】
後端部に把持管を接続し、先端部にプレートを設けた中空管に、先端部に切欠部を設けた作動棒を摺動自在に嵌合させ、作動棒の後端部にはピンを貫通させて把持管の外側へ突き出すと共に、作動棒の後端部と把持管の後端部のストッパーとにバネを介在させて、ピンに指を掛けて作動棒を作動させるようにし、作動棒の先端部に設けた切欠部と中空部の先端部に設けたプレートで苗を挟持できるよう構成されていることを特徴とする苗植機。
【請求項２】
中空管の先端部に１５〜２０°の開先角度にして設けたプレートと、作動棒の先端部に設けた切欠部とで苗の茎部を挟持して苗を植え込む畝に突き込むことができるように構成されていることを特徴とする請求項１記載の苗植機。
【請求項３】
前記プレートの中心線上と中空管とに、プレート面に対して直角になるようプレートと中空管に当てて補強板が設けられていることを特徴とする請求項１又は２記載の苗植機。
【請求項４】
前記ピンは指を掛けて引き上げるため、把持管の外側へ両端部を突出させて、握棒が装着されていることを特徴とする請求項１乃至３のいずれか１項記載の苗植機。
【考案の詳細な説明】
【技術分野】
【０００１】
本考案は、さつま芋等の苗を畑に植えつけるときに使用する苗植機に関する。
【背景技術】
【０００２】
さつま芋等の苗は、茎部を土の中に埋め込んで植えつけており、従来指先で茎部をつかんで、耕して盛られた畝の土中に植え込んでいたが、中腰で長時間作業するため、疲労感が大きく、作業能率が低下し、腰痛になりやすかった。
さつま芋は焼酎の原料でもあり、近年の焼酎ブームにより、増産が期待され、その植え込み作業の改善が望まれるが、零細又は小規模農家においてはさつま芋の単価が安いこともあって、大型機械の導入は困難な状況にある。
【０００３】
苗植えに用いる簡単な機具として手動による稲苗田植機が提案されている（例えば特許文献１参照。）。この考案は、田植機で田植をした場合、発生した植え込みエラーを人間の手で補植する作業を改善するためのものであって、先端部がハ字状に開いて下方に折れ曲がった二本の針金状の棒の間に、先端部に押し出しブロックを連結して上下動させる棒を設けて、針金状の棒の間に複数の稲苗を挟み込み、それを土中に差し込み、押し出しブロックで稲苗を押し出して植え込むよう構成されている。この考案は稲苗を水田に植え込む場合には適しているが、苗を針金状の二つの棒の間に挟むだけであるため、さつま芋等の苗を畝の土中に差し込むような目的には使用し難いという問題がある。
【特許文献１】実開平８−７６２号公報
【考案の開示】
【考案が解決しようとする課題】
【０００４】
本考案は、上記の問題が解決し、簡単な器具であって、しかも安価に製作でき、畑の土壌中にさつま芋等の苗を手動で効率的に植え込むことができる器具を提供することを目的とする。
【課題を解決するための手段】
【０００５】
本考案の主要な特徴は以下のとおりである。
（１）後端部に把持管を接続し、先端部にプレートを設けた中空管に、先端部に切欠部を設けた作動棒を摺動自在に嵌合させ、作動棒の後端部にはピンを貫通させて把持管の外側へ突き出すと共に、作動棒の後端部と把持管の後端部のストッパーとにバネを介在させて、ピンに指を掛けて作動棒を作動させるようにし、作動棒の先端部に設けた切欠部と、中空管の先端部に設けたプレートで苗を挟持できるよう構成されていることを特徴とする苗植機である。
（２）中空管の先端部に１５〜２０°の開先角度にして設けたプレートと、作動棒の先端部に設けた切欠部とで苗の茎部を挟持して苗を植え込む畝に突き込むことができるように構成されていることを特徴とする前項１記載の苗植機である。
開先角度が１５°より小さいと苗を挟持し難く、且つ苗を植込んだ後、苗植機を引き抜くとき苗が離脱しにくくなり、２０°より大きくなると、苗を畝に植え込むときの抵抗が過大になるおそれがあると共に、苗が落ちやすくなるからである。
（３）前記プレートの中心線上と中空管とに、プレート面に対して直角になるようプレートと中空管に当てて補強板が設けられていることを特徴とする前項（１）又は（２）記載の苗植機である。畝に苗を植え込む時の抵抗に耐えられるよう補強するためである。
（４）前記ピンは、指を掛けて引き上げるための把持管の外側へ両端部を突出させて、握棒が装着されていることを特徴とする前項（１）乃至（３）のいずれか１項記載の苗植機である。握棒を装着することで作動時の指の当りを良くし、指が痛くならないようにするためである。
【考案の効果】
【０００６】
本考案は以上のように構成されているため次のような効果が期待できる。
（１）立った状態で作業できるので、疲労感がなく、作業能率が向上すると共に、腰痛になり難い。
（２）苗の茎部が確実に挟持されるため、突き込み時に苗が抜け落ちたりしない。
（３）構造が簡単で堅牢であり、安価に製作でき、耐久性がある。
【考案を実施するための最良の形態】
【０００７】
中空管及び把持管は通常金属管が用いられる。中空管の把持管の材料が銅又は黄銅管の場合はロウ付け、鉄又はステンレス管の場合は溶接付けで互に固着されている。ピンに装着する握棒はポリウレタン等弾力性のあるものを用いると良い。また、把持管の後端部に設けたストッパーも手の甲を当てるため、ピンに装着した握棒と同じ材料を用いると良い。
【実施例１】
【０００８】
本考案の実施例を図に基づいて説明する。図１は、本考案の実施例を示す縦断面図であり、図２は、苗の茎部を挟持する前の要部断面図，図３は、苗の茎部を挟持した状態の要部断面図，図４は、さつま芋の苗の茎部を挟持して畝に突き込んだ状態を示す斜視図である。
【０００９】
図１において、中空管１の後端部に把持管２が異径の継手２ａを介して接続されているが、この接続は中空管１及び把持管の材料が銅又は黄銅の場合はロウ付け又は半田付けで互に固着させ、材料が鉄又はステンレス鋼の場合は溶接付けで固着させるのが良い。
【００１０】
中空管１の先端にはプレート１ａが設けられ、開先角度は１５〜２０°が好ましい。プレート１ａと中空管１の間には補強板１ｂがプレート面に対して直角になるように設けられている。
【００１１】
中空管１及び把持管２の中には作動棒３が摺動自在に嵌合されており、作動棒３の先端には切欠部３ａが設けられ、該切欠部と前記プレート１ａとで苗を挟持できるようになっている。
【００１２】
作動棒３の後端部にはピン４が貫通させてあり、ピン４の両端部は把持管２から突き出し、突き出た部分に握棒７，７が装着されている。握棒７，７はポリウレタン等弾力性のある材料で作られていることが好ましい。指当てを良くして指にかかる負担を少なくするためである。
【００１３】
作動棒３の後端部と、把持管２の後端部をネジの蝶合１０で接続しているストッパー５との間にバネ６が嵌め込まれており、作動棒３はバネ６によって常に先端方向に押圧されている。握棒７，７を引き上げるとバネ６が圧縮されて作動棒３は後退し、握棒７，７を離すと作動棒３は前進する。
【００１４】
図２では、切欠部３ａに苗８を引掛けた状態を示している。作動棒は前進した状態になっている。
図３では、握棒７，７を引き上げて作動棒３を後退させ、苗８の茎部は、プレート１ａと切欠部３ａの間に挟持されている。
【００１５】
図４は、さつま芋の苗８の茎部をプレート１ａと切欠部３ａとで挟持し、畝９に突き込んだ状態を示す斜視図である。指（図示せず）で握棒７，７は引き上げられた状態になっているため作動棒３は後退しており、苗８はプレート１ａと切欠部３ａの間にしっかりと挟持されている。この状態で握棒７，７を手放すと、前記バネ６により作動棒３が前進（又は中空管１が後退）して苗８は狭持部から外れるので、苗植機を引き抜く。
【産業上の利用可能性】
【００１６】
本考案の苗植機を用いることで、いわゆるマルチ栽培の場合、畑表面がプラスチックシートで覆われているときでも作動棒３とプレート１ａでプラスチックシートを突き破って苗を植え込むことができる。
また、さつま芋以外でも種々の作物苗の植え込みに応用することも期待できる。
【図面の簡単な説明】
【００１７】
【図１】本考案の実施例を示す縦断面図である。
【図２】苗の茎部を挟持する前の要部断面図である。
【図３】苗の茎部を挟持した状態の要部断面図である。
【図４】さつま芋の苗８の茎部を挟持して畝に突き込んだ状態を示す斜視図である。
【符号の説明】
【００１８】
１  中空管
１ａ  プレート
１ｂ  補強板
２  把持管
２ａ  継手
３  作動棒
３ａ  切欠部
４  ピン
５  ストッパー
６  バネ
７  握棒
８  苗
９  畝
【図１】
0003101949.tif 000003
【図２】
0003101949.tif 000004
【図３】
0003101949.tif 000005
【図４】
0003101949.tif 000006